(57)【要約】【課題】インターネットへの接続手段を有していない場合であっても、簡易な操作によって、見守りの対象となる人が放送内容に応じて応答することで、情報を外部に伝達することができる手段を提供すること。【解決手段】リモコンアダプター１は、見守り対象がテレビ受像機１１０による放送内容に応じて応答する操作をするテレビ受像機のリモコン装置１２０からのリモコン信号を受信するリモコン信号受信手段と、放送内容を送信する管理装置３００と時刻同期する時刻同期手段と、リモコン信号と、リモコン信号を受信したときの時刻を示す時刻情報とを含む無線情報を生成する無線情報生成手段と、無線情報を管理装置３００に無線送信する無線通信手段と、を有する。【選択図】図１
2018121242.tif 000002
【特許請求の範囲】
【請求項１】
見守り対象がテレビ受像機による放送内容に応じて応答する操作をする前記テレビ受像機のリモコン装置からのリモコン信号を受信するリモコン信号受信手段と、
前記放送内容を送信する管理装置と時刻同期する時刻同期手段と、
前記リモコン信号と、前記リモコン信号を受信したときの時刻を示す時刻情報とを含む無線情報を生成する無線情報生成手段と、
前記無線情報を前記管理装置に無線送信する無線通信手段と、
を有するリモコンアダプター。
【請求項２】
前記無線情報を受信したことを示す確認情報を前記管理装置から受信すると、前記確認情報を受信したことを前記見守り対象に認識させる認識惹起手段を
有する請求項１に記載のリモコンアダプター。
【請求項３】
前記管理装置から前記放送内容を示す放送データを受信し、前記テレビ受像機を制御するための制御信号を前記テレビ受像機に送信し、前記テレビ受像機に前記放送データを表示及び音声を発生させるテレビ受像機制御手段を、
有する請求項１または請求項２に記載のリモコンアダプター。
【請求項４】
外部のセンサーからのセンサー信号を受信するセンサー信号受信手段と、
前記管理装置から前記センサー信号に応じた前記放送データを受信する放送データ受信手段と、
を有する請求項３に記載のリモコンアダプター。
【発明の詳細な説明】
【技術分野】
【０００１】
本発明は、リモコンアダプターに関する。
【背景技術】
【０００２】
従来、インターネットを介して遠隔地から、対象となる人を見守るシステムが提案されている（例えば、特許文献１）。
【先行技術文献】
【特許文献】
【０００３】
【特許文献１】特許５６８０１２７号公報
【発明の概要】
【発明が解決しようとする課題】
【０００４】
ところで、見守りの対象となる人が、インターネットへの接続手段を有していない場合がある。また、見守りの対象となる人が、複雑な電子機器の操作を実施できない場合や、不慣れな場合もある。
【０００５】
本発明はかかる問題の解決を試みたものであり、インターネットへの接続手段を有していない場合であっても、簡易な操作によって、見守りの対象となる人が放送内容に応じて応答することで、情報を外部に伝達することができる手段を提供することを目的とする。
【課題を解決するための手段】
【０００６】
第一の発明は、見守り対象がテレビ受像機による放送内容に応じて応答する操作をする前記テレビ受像機のリモコン装置からのリモコン信号を受信するリモコン信号受信手段と、  前記放送内容を送信する管理装置と時刻同期する時刻同期手段と、  前記リモコン信号と、前記リモコン信号を受信したときの時刻を示す時刻情報とを含む無線情報を生成する無線情報生成手段と、  前記無線情報を前記管理装置に無線送信する無線通信手段と、
を有するリモコンアダプターである。
【０００７】
テレビ受像機のリモコンは、誰しもが日常的に使用する機器であるから、見守り対象にとって、その操作は容易であり、不慣れということもない。本発明のリモコンアダプターは、そのようなリモコンからのリモコン信号を受信して、管理装置に無線送信することができる。本発明における「リモコンアダプター」の意義は、テレビ受像機のリモコン装置からの信号を受信し、管理装置と信号やデータを送受信する装置である。リモコンアダプターは、管理装置と時刻同期しており、リモコン信号と時刻情報とを含む無線情報を管理装置に送信し、管理装置において、放送内容とリモコン信号との紐づけをすることを可能にするようになっている。そして、リモコンアダプターは、無線情報を管理装置に無線送信するから、見守り対象が有する機器がインターネットへ接続する必要はない。すなわち、本発明のリモコンアダプターによれば、インターネットへの接続手段を有していない場合であっても、簡易な操作によって、見守りの対象となる人が放送内容に応じた操作をすることで、情報を外部に伝達することができる。
【０００８】
第二の発明は、第一の発明の構成において、前記無線情報を受信したことを示す確認情報を前記管理装置から受信すると、前記確認情報を受信したことを前記見守り対象に認識させる認識惹起手段を有するリモコンアダプターである。
【０００９】
第二の発明の構成によれば、リモコンアダプターは、管理装置が無線情報を受信したことを知らせることができるから、見守り対象に、安心感を与えることができる。
【００１０】
第三の発明は、第一の発明または第二の発明の構成において、前記管理装置から前記放送内容を示す放送データを受信し、前記テレビ受像機を制御するための制御信号を前記テレビ受像機に送信し、前記テレビ受像機に前記放送データを表示及び音声を発生させるテレビ受像機制御手段を有するリモコンアダプターである。
【００１１】
第三の発明の構成によれば、リモコンアダプターは、管理装置から放送内容を受信し、テレビ受像機を起動し、画像を表示したり、音声を発生させることができるから、見守り対象に対して、能動的に情報の送信を促すことができる。
【００１２】
第四の発明は、第三の発明の構成において、外部のセンサーからのセンサー信号を受信するセンサー信号受信手段と、前記管理装置から前記センサー信号に応じた前記放送データを受信する放送データ受信手段とを有するリモコンアダプターである。
【００１３】
第四の発明の構成によれば、例えば、見守り対象の住居のトイレに配置した人感センサーから、所定時間、見守り対象がトイレ内に滞在している場合に、センサー信号を受信することができる。そして、そのセンサー信号に応じて、管理装置から放送データを受信し、テレビ受像機に画像表示や音声発生をさせることができる。もしも、見守り対象がトイレ内で身動きできなくなっているなど、見守り対象から、リモコン信号を受信しない場合には、リモコンアダプターは管理装置に対して、リモコン信号を受信しない旨の情報を送信する、あるいは、何らの情報も送信しない。これにより、管理装置に対して、見守り対象に変事が生じたことを認識させることができる。
【発明の効果】
【００１４】
本発明によれば、インターネットへの接続手段を有していない場合であっても、簡易な操作によって、見守りの対象となる人が放送内容に応答することで、情報を外部に伝達することができる。
【図面の簡単な説明】
【００１５】
【図１】本発明の実施形態に係るリモコンアダプター及び関連機器を示す概略図である。
【図２】リモコンアダプターの機能ブロックを示す概略図である。
【図３】時刻同期のアルゴリズムの一例を示す図である。
【図４】リモコンアダプターの動作を示すフローチャートである。
【図５】発明の実施形態に係るリモコンアダプター及び関連機器を示す概略図である。
【図６】リモコンアダプターの機能ブロックを示す概略図である。
【図７】リモコンアダプターの動作を示すフローチャートである。
【発明を実施するための形態】
【００１６】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００１７】
＜第一の実施形態＞
図１に示すように、本実施形態のリモコンアダプター１（以下、「アダプター１」という。）は、家屋１００の内部に配置される。家屋１００の内部には、アダプター１のほかに、テレビ受像機１１０、テレビ受像機１１０を制御するためのリモコン１２０が配置されている。見守り対象は、例えば、高齢の人である。見守り対象は、リモコン１２０を操作して、テレビ受像機１１０を制御し、所望の番組を視聴することができる。また、見守り対象は、テレビ受像機１１０に表示される放送内容に応じて、質問や問いかけに応答するために、リモコン１２０を操作し、リモコン信号をアダプター１に送信することができる。テレビ受像機１１０は放送データを、放送局２００から直接、あるいは、管理装置３００を介して、受信するようになっている。管理装置３００は、放送局２００から受信した放送データを格納する放送データベース３０２と、アダプター１から受信したデータを格納するリモコンデータベース３０４を有する。管理装置３００がアダプター１から受信したデータは、見守り対象が応答することによって、アダプター１に送信したデータである。管理装置３００は放送局２００と時刻同期しており、また、アダプター１と管理装置３００も時刻同期している。時刻同期のアルゴリズムについては後述する。
【００１８】
アダプター１は、リモコン受光部１２を有し、リモコン１２０からの赤外線信号を受信することができる。また、アダプター１は、ＬＥＤ発光部１４を有し、管理装置３００から後述の確認信号を受信した場合に、ＬＥＤ発光部１４を発光させ、見守り対象に対して、確認信号の受信を知らせることができる。
【００１９】
図２は、アダプター１の機能構成を示す図である。アダプター１は、ＣＰＵ（Ｃｅｎｔｒａｌ  Ｐｒｏｃｅｓｓｉｎｇ  Ｕｎｉｔ）５０、記憶部５２、リモコン信号受信部５４、同期用クロック部５６、無線通信部５８、及び、電源部７０を有する。
【００２０】
アダプター１は、リモコン信号受信部５４によって、リモコン１２０からのリモコン信号を受信することができる。リモコン信号受信部５４は、リモコン信号受信手段の一例である。
【００２１】
アダプター１は、同期用クロック部５６によって、リモコン１２０からリモコン信号を受信した時刻を記録することができる。
【００２２】
アダプター１は、無線通信部５８によって、管理装置３００と無線通信することができる。無線通信部５８は、無線通信手段の一例である。
【００２３】
電源部７０は、アダプター１の各部に電力を供給するようになっている。
【００２４】
記憶部５２には、アダプター１の固有の識別コードやアダプター１の各部の動作を制御するための一般的なプログラムやデータが格納されているほか、以下のプログラムが格納されている。記憶部５２には、時刻同期プログラム、無線情報生成プログラム、認識惹起プログラムが格納されている。ＣＰＵ５０と時刻同期プログラムは時刻同期手段の一例である。ＣＰＵ５０と無線情報生成プログラムは無線情報生成手段の一例である。ＣＰＵ５０と認識惹起プログラムは認識惹起手段の一例である。
【００２５】
アダプター１は、時刻同期プログラムによって、所定の時間間隔で、同期用クロック部５６の時刻と管理装置３００のクロックの時刻を同期させている。図３に、時刻同期のアルゴリズムの一例を示す。管理装置３００のクロックによる時刻を管理装置時刻ｓｔ、アダプター１の同期用クロック部５６による時刻をアダプター時刻ａｔとする。例えば、アダプター１から管理装置３００に対して、時刻ａｔ０に送信した情報を管理装置３００が時刻ｓｔ１に受信し、管理装置３００からアダプター１に対して、時刻ｓｔ２に送信した情報をアダプター１が時刻ａｔ３に受信したとする。式１によって、往復時間ＲＴＴを算出することができる。ＲＴＴ＝（ｓｔ１−ａｔ０）＋（ａｔ３−ａｔ２）である。なお、アダプター１と管理装置３００のクロックの間に誤差がある場合には、式１の計算において、相殺される。式２の計算によって、管理装置３００とアダプター１との間の時刻差ｄｔを算出することができる。ｄｔ＝ＲＴＴ／２である。そして、式３によって、アダプター時刻ａｔの補正値ｒａｔを算出することができる。ｒａｔ＝ｓｔ＋ｄｔである。アダプター１は、例えば、ａｔ０及びａｔ３はアダプター１自体の記録を使用し、時刻ｓｔ１及びｓｔ２は、管理装置３００から受信して、上記計算を実施する。放送局２００と管理装置３００の間の時刻同期、放送データベース３０２とリモコンデータベース３０４の間の時刻同期も同様に行う。なお、このような時刻同期において、インターネットを使用して情報を送受信する場合には、インターネットの通信速度が変動することによって、時刻同期の信頼性が低下するが、本実施形態においては、時刻同期のための情報の送受信にインターネットを経由しないので、時刻同期の信頼性が高い。
【００２６】
アダプター１は、無線情報生成プログラムによって、リモコン１２０から受信したリモコン情報と、そのリモコン情報を受信したときの時刻を示す時刻情報（タイムスタンプ）及びアダプター１の識別コードとを含む無線情報を生成する。
【００２７】
アダプター１が管理装置３００に無線情報を送信すると、管理装置３００からアダプター１に対して、無線情報を受信したことを示す確認情報が送信される。アダプター１は、認識惹起プログラムによって、確認情報を受信した旨の表示を行う。具体的には、アダプター１は、ＬＥＤ発光装置１４を発光させる。上述のように、アダプター１と管理装置３００の送受信は無線で行われるから、地震などの災害時等において、インターネット網が破壊された場合であっても、見守り対象からの情報を外部に送信することができ、災害時等の非常事態おいても有効である。
【００２８】
以下、アダプター１の動作を、図４のフローチャートを参照して説明する。見守り対象がテレビ受像機１１０に映し出される放送内容に応じてリモコン１２０を操作すると、アダプター１は、リモコン１２０からリモコン信号を受信し（ステップＳＴ１）、リモコン信号とタイムスタンプ及び識別コードを含む無線情報を管理装置３００へ無線送信する（ステップＳＴ２）。アダプター１は、無線情報を受信した管理装置３００から確認情報を受信すると（ステップＳＴ３）、確認信号を受信したことを示す点灯を実施する（ステップＳＴ４）。
【００２９】
＜第二の実施形態＞
次に、第二の実施形態について説明する。第一の実施形態と共通する事項は説明を省略する。
【００３０】
第二の実施形態においては、家屋１００内部のトイレ室１３０に、人感センサー１３２が配置されている。人感センサー１３２は、人がトイレ室１３０内への人の出入りを検知する。また、人感センサー１３２は、人がトイレ室１３０内に入り、所定時間である例えば、１０分間以上、トイレ室１３０から出ないという条件を満たす場合に、緊急事態を示すセンサー信号を発信するようになっている。
【００３１】
アダプター１は、人感センサー１３２からセンサー信号を受信すると、そのセンサー信号と識別コードを管理装置３００へ無線送信し、管理装置３００から、センサー信号の内容に応じた放送データを受信する。そして、アダプター１は、テレビ受像機１１０に制御信号及び放送データを送信し、管理装置３００から受信した放送データを表示し、音声を発生させる。音声は、例えば、「体調は大丈夫ですか？大丈夫ならリモコンボタン「１」を押してください」とか「お元気ですか？お元気ならリモコンボタン「１」を押してください」という内容である。その後、アダプター１は、所定時間である、例えば、３分間、リモコン１２０からリモコン信号を受信しない場合には、管理装置３００に対して、リモコン１２０から信号を受信しないことを示す緊急情報と識別コードを無線送信する。緊急情報を受信した管理装置３００は、例えば、見守り対象の関係者に緊急事態を示す通知を送信するなどの対応をする。
【００３２】
図６に示すように、第二の実施形態のアダプター１は、センサー信号受信部６０と、リモコン信号送信部６２を有する。センサー信号受信部６０はセンサー信号受信装置の一例である。アダプター１は、センサー信号受信部６０によって、人感センサー１３２からのセンサー信号を受信する。リモコン信号送信部６２は、リモコン１２０と同様のテレビ受像機１１０の制御信号と、テレビ受像機１１０が表示する放送データを送信する。
【００３３】
記憶部５２には、放送データ要求プログラム、テレビ受像機制御プログラムが格納されている。ＣＰＵ５０と放送データ要求プログラムは、放送データ要求手段の一例である。ＣＰＵ５０とテレビ受像機制御プログラムは、テレビ受像機制御手段の一例である。
【００３４】
アダプター１は、人感センサー１３２からセンサー信号を受信すると、放送データ要求プログラムによって、そのセンサー信号を管理装置３００へ送信することによって、放送データを要求する。
【００３５】
アダプター１は、テレビ受像機制御手段によって、リモコン信号送信部６２からテレビ受像機１１０に対して、制御信号及び放送データを送信し、管理装置３００から受信した放送データをテレビ受像機１１０に表示させ、また、音声を発生させる。
【００３６】
以下、アダプター１の動作を、図７のフローチャートを参照して説明する。アダプター１は、人感センサー１３２からセンサー信号を受信すると（ステップＳＴ１０１）、そのセンサー信号とアダプター１の識別コードを管理装置３００へ無線送信する（ステップＳＴ１０２）。アダプター１は、管理装置３００から安否確認用の放送データを受信すると（ステップＳＴ１０３）、テレビ受像機１１０を制御し、放送データを表示、音声を発生させる（ステップＳＴ１０４）。
【００３７】
なお、本発明は上述の各実施形態に限定されるものではなく、本発明の目的を達成できる範囲での変形、改良等は本発明に含まれるものである。
【符号の説明】
【００３８】
１  リモコンアダプター
１１０  テレビ受像機
１２０  リモコン
１３２  人感センサー
２００  放送局
３００  管理装置
３０２  放送データベース
３０４  リモコンデータベース
【図１】
2018121242.tif 000003
【図２】
2018121242.tif 000004
【図３】
2018121242.tif 000005
【図４】
2018121242.tif 000006
【図５】
2018121242.tif 000007
【図６】
2018121242.tif 000008
【図７】
2018121242.tif 000009